(57)【要約】      （修正有）【課題】気密性と防汚性を兼ね備えたプラスチックフィルムを提供する。【解決手段】プラスチック層に接したガラス層を設ける。ガラス層に対して、ガラス表面の防汚に用いられる防汚層を形成する。ガラス層は、プラスチック層にＳｉＯ等を蒸着させて形成することができる。防汚層としては、ホウ酸シリカやガラス層表面のＳｉＯＨに化学的に結合するポリマー樹脂を用いることができる。【選択図】図１
0003160024.tif 000002
【実用新案登録請求の範囲】
【請求項１】
プラスチック層の少なくとも片面にガラス層を設け、
前記ガラス層の前記プラスチック層とは反対側の面に防汚層を設けたことを特徴とする、プラスチックフィルム。
【請求項２】
前記ガラス層がＳｉＯ、ＳｉＯ２又はＳｉＯＮを前記プラスチック層に蒸着させて構成されたものであることを特徴とする、請求項１に記載のプラスチックフィルム。
【請求項３】
前記防汚層がホウ酸シリカを主成分とするものであることを特徴とする、請求項１又は２に記載のプラスチックフィルム。
【請求項４】
前記防汚層が前記ガラス層表面のＳｉ化合物に化学的に結合したものであることを特徴とする、請求項１又は２に記載のプラスチックフィルム。
【請求項５】
前記防汚層がポリマー樹脂を主成分とするものであることを特徴とする、請求項４に記載のプラスチックフィルム。
【請求項６】
前記ガラス層が高気密性のものであり、
食品包装用に用いられることを特徴とする、請求項１〜５のいずれか1項に記載のプラスチックフィルム。
【考案の詳細な説明】
【技術分野】
【０００１】
本考案は、気密性及び防汚性を持ったプラスチックフィルムに関するものである。
【背景技術】
【０００２】
プラスチックフィルムは、食品包装、太陽光発電装置の保護など、種種の用途に用いることができる。多くの用途において、外観の維持や光透過度の確保のために防汚を行うことが好ましい。しかし、プラスチックフィルムの防汚は容易ではなかった。
特許文献１は、従来の技術では防汚効果が低いことを指摘しつつ、無機親水性コロイド物質を主成分とする防汚層を設けたフィルムを提案している。
【０００３】
一方、ガラス表面の防汚については、種種の有用な方法が存在する。例えば非特許文献１に示されるものである。しかし、ガラス表面の防汚に有効な防汚層をプラスチックフィルムの防汚に活用することはなされていなかった。
【先行技術文献】
【特許文献】
【０００４】
【特許文献１】特開平８−１５０６８１号公報
【特許文献２】特開平７−３０５１６１号公報
【非特許文献】
【０００５】
【非特許文献１】英国ＲＩＴＥＣ社ホームページ：ｈｔｔｐ：／／ｗｗｗ．ｒｉｔｅｃ．ｃｏ．ｕｋ／ｃｌｅａｒｓｈｉｅｌｄ−ｓｙｓｔｅｍ／ｈｏｗ＿ｉｔ＿ｗｏｒｋｓ
【考案の概要】
【考案が解決しようとする課題】
【０００６】
解決しようとする問題点は、ガラス表面の防汚に有効な防汚層をプラスチックフィルムの防汚に活用する点である。
【課題を解決するための手段】
【０００７】
本考案は、プラスチックフィルム本体のプラスチック層に接するガラス層を設け、そのガラス層の上に防汚層を設けることにより、ガラス表面の防汚に有効な防汚層をプラスチックフィルムの防汚に活用する。
【０００８】
本考案のプラスチックフィルムは、
プラスチック層の少なくとも片面にガラス層を設け、
前記ガラス層の前記プラスチック層とは反対側の面に防汚層を設けたことを特徴とする。
防汚の必要性に応じて、片面又は両面に防汚層を設けることができる。
ここで、「防汚層」とは、その表面４の対水接触角が２０度以下又は１００度以上の層を言う。対水接触角が２０度以下の場合は、水分が防汚層の表面に停留して汚れの付着を防止するいわゆる親水性防汚層となる。対水接触角が１００度以上の場合は、防汚層の表面に汚れを含む液体の付着を防止するいわゆる撥水性防汚層となる。
【０００９】
本考案のプラスチックフィルムは、
前記ガラス層がＳｉＯ、ＳｉＯ２又はＳｉＯＮを前記プラスチック層に蒸着させて構成されたものであることを特徴とする。
プラスチックフィルムにＳｉＯ等を蒸着させてガラス層を形成する方法については、例えば特許文献２に開示されている。
【００１０】
本考案のプラスチックフィルムは、
前記防汚層がホウ酸シリカを主成分とするものであることを特徴とする。
ホウ酸シリカは容易にガラス表面に付着させることができ、防汚層を構成する。
ここで、「主成分」とは防汚層の重量５０％以上を占める化学成分を言う。
【００１１】
本考案のプラスチックフィルムは、
前記防汚層が前記ガラス層表面のＳｉ化合物に化学的に結合したものであることを特徴とする。
ガラス層表面のＳｉ化合物（例えばＳｉＯＨ）に化学的に結合させることにより、剥離しにくい安定した防汚層を形成することができる。
【００１２】
本考案のプラスチックフィルムは、
前記防汚層がポリマー樹脂を主成分とするものであることを特徴とする、
非特許文献１のポリマー樹脂は、ガラス層表面のＳｉＯＨに化学的に結合することが知られている。
ここで、「ポリマー樹脂を主成分とする」とは、ポリマー樹脂である化学成分全体として防汚層の重量５０％以上を占めることを言う。
【００１３】
本考案のプラスチックフィルムは、
前記ガラス層が高気密性のものであり、
食品包装用に用いられることを特徴とする。
特許文献２に示されるとおり、ガラス層は気密性を有する。食品包装用のフィルムにおいては、食品の品質を保持するために気密性が要求され、このためにガラス層を設けることが多い。ガラス層が設けられているフィルムに対してガラス表面の防汚に有効な防汚層を付加する。これにより、気密性と防汚性とを兼ね備えたプラスチックフィルムとなる。
【考案の効果】
【００１４】
本考案のプラスチックフィルムは、ガラス表面の防汚に有効な防汚層をプラスチックフィルムの防汚に活用して防汚効果を得ることができる。また、気密性と防汚性とを兼ね備えたプラスチックフィルムであり、食品包装用に有用である。
【図面の簡単な説明】
【００１５】
【図１】図１は、プラスチックフィルムの構造を示した説明図である。
【考案を実施するための形態】
【００１６】
プラスチック層の上にガラス層を設け、その上に防汚層を設けてガラス表面の防汚に有効な防汚層をプラスチックフィルムの防汚に活用した。
【実施例１】
【００１７】
図１は、本考案のプラスチックフィルムの構造を示した説明図である。プラスチック層１の上に、ガラス層２を設ける。ガラス層２は、ＳｉＯを特許文献２に記載の方法により蒸着して形成することができる。
【００１８】
ホウ酸シリカを例えばトルマリン含有皮膜によって帯電させ、その水溶液をガラス層２に接触させる。ホウ酸シリカはガラス層に電着し、防汚層３を形成する。
防汚層３の表面４の対水接触角は２０度以下であり、親水性の防汚層となる。
【００１９】
ガラス層２は特許文献２にある通り気密性を有しており、気密性と防汚性とを兼ね備え食品包装に適したプラスチックフィルムとなる。
この実施例ではプラスチック層１の片面のみにガラス層２及び防汚層３を形成したが、両面に形成してもよい。
【実施例２】
【００２０】
プラスチック層１及びガラス層２については実施例１と同様である。防汚層３を、非特許文献１に示されたポリマー樹脂をガラス層２に塗布することによって形成する。ポリマー樹脂はガラス層表面のＳｉＯＨに化学的に結合して安定した防汚層となる。
防汚層３の表面４の対水接触角は１００度以上であり、撥水性の防汚層となる。
気密性と防汚性とを兼ね備え食品包装に適したプラスチックフィルムとなる点は、実施例１と同様である。
【産業上の利用可能性】
【００２１】
ガラス表面の防汚に有効な防汚層をプラスチックフィルムの防汚に活用して防汚効果を得ることができ、防汚の必要なプラスチックフィルムに活用することができる。特に、気密性と防汚性とを兼ね備え食品包装に適している。
【符号の説明】
【００２２】
１    プラスチック層
２    ガラス層
３    防汚層
４    防汚層の表面
【図１】
0003160024.tif 000003